(57)【要約】【課題】  インバータに使用するトランスが１次巻線に並列接続された第３のスイッチング素子をオンすることで調光時に発生するトランスの共振を低減し、低調光時にも安定点灯させる。【解決手段】  ブリンクバックライトシステムにおいて、トランスＴの２次巻線Ｌ３側に冷陰極放電ランプＬＰを接続し、１次巻線側にタップを設け、このタップを通じて電力が供給される１次巻線の両端それぞれとグランドとの間に第１のスイッチＳ１、第２のスイッチＳ２それぞれを設け、タップを有した１次巻線の両端に、抵抗成分を持つ素子Ｒ１と第３のスイッチＳ３とが直列に接続されたチラツキ防止回路１を並列に接続した構成の放電ランプ点灯装置。【選択図】      図１
2006073476.tif 000002
【特許請求の範囲】
【請求項１】
パルストランスの２次巻線側に冷陰極放電ランプを接続し、前記パルストランスの１次巻線側にタップを設け、前記タップを通じて電力が供給される前記１次巻線の両端それぞれとグランドとの間に第１のスイッチング素子、第２のスイッチング素子それぞれを設け、前記タップを有した１次巻線の両端に、抵抗成分を持つ素子と第３のスイッチング素子とが直列に接続されたチラツキ防止回路を並列に接続したことを特徴とするブリンクバックライトシステムにおける放電ランプ点灯装置。
【請求項２】
パルストランスの２次巻線側に冷陰極放電ランプを接続し、前記パルストランスの１次巻線側にタップを設け、前記タップを通じて電力が供給される前記１次巻線の両端それぞれとグランドとの間に第１のスイッチング素子、第２のスイッチング素子それぞれを設け、前記１次巻線のタップと前記第１又は第２のスイッチング素子が接続された当該１次巻線の端部とに、抵抗成分を持つ素子と第３のスイッチング素子とが直列に接続されたチラツキ防止回路を並列に接続したことを特徴とするブリンクバックライトシステムにおける放電ランプ点灯装置。
【請求項３】
パルストランスの２次巻線側に冷陰極放電ランプを接続し、前記パルストランスの１次巻線側にタップを設け、前記タップを通じて電力が供給される前記１次巻線の両端それぞれとグランドとの間に第１のスイッチング素子、第２のスイッチング素子それぞれを設け、前記パルストランスの１次側に第３の巻線を設け、当該第３の巻線の片側をグランドに接続し、当該第３の巻線の他側とグランドとの間に、抵抗成分を持った素子と第３のスイッチング素子とが直列に接続されたチラツキ防止回路を並列に接続したことを特徴とするブリンクバックライトシステムにおける放電ランプ点灯装置。
【請求項４】
パルストランスの２次巻線側に冷陰極放電ランプを接続し、前記パルストランスの１次巻線側にタップを設け、前記タップを通じて電力が供給される前記１次巻線の両端それぞれとグランドとの間に第１のスイッチング素子、第２のスイッチング素子それぞれを設け、前記パルストランスの１次側に第３の巻線を設け、当該第３の巻線の片側をグランドに接続し、当該第３の巻線の他側とグランドとの間に、第３のスイッチング素子をチラツキ防止回路として接続したことを特徴とするブリンクバックライトシステムにおける放電ランプ点灯装置。
【請求項５】
前記第１のスイッチング素子と第２のスイッチング素子を交互にオン／オフ動作させ、低調光時に前記第３のスイッチング素子をオンさせることを特徴とする請求項１〜４のいずれかに記載のブリンクバックライトシステムにおける放電ランプ点灯装置。
【請求項６】
前記第３のスイッチング素子としてＭＯＳＦＥＴ、トランジスタ又はフォトカプラを使用し、前記抵抗成分を持った素子として抵抗を使用したことを特徴とする請求項１〜５のいずれかに記載のブリンクバックライトシステムにおける放電ランプ点灯装置。
【請求項７】
前記第３の巻線の巻数は、１０ターン以下としたことを特徴とする請求項３又は４に記載のブリンクバックライトシステムにおける放電ランプ点灯装置。
【発明の詳細な説明】
【技術分野】
【０００１】
本発明は、放電ランプ点灯装置に関する。
【背景技術】
【０００２】
パーソナルコンピュータや液晶テレビなどに使用される液晶表示装置のバックライト用光源として冷陰極放電ランプが用いられている。また動画再生に対応した液晶表示装置では、動画を再生した時にぼやけの少ない映像ができる放電ランプ駆動装置が必要とされている。
【０００３】
このような要求に応える放電ランプ点灯装置として、従来、ブリンクバックライトシステム（ＢＢＳ）が知られている。図１５は一般的なブリンクバックライトシステムの概念構成を示し、図１６に動作波形を示している。このブリンクバックライトシステムは、ＬＣＤ（液晶ディスプレイ）１０と、これを裏から照らすバックライトユニット２０と、このバックライトユニット２０に電源を供給するインバータ３０から構成される。
【０００４】
動画を考慮したブリンクバックライトシステムを使用した時、制御回路３１によってインバータ３０を制御し、図１６に示すように、バックライトユニット（Ｂ／Ｌ）３０の放電ランプを点灯させる時のタイミングを垂直同期信号（Ｖ−ＳＹＮＣ）に合わせ、さらにランプを調光６０％以下で動作させることが、一般的に知られている。これは、調光６０％以下で動作させることで黒の領域１１を動画に挿入し、ぼやけを低減させるためである。以下では調光５０％を例にとって示す。ブリンクバックライトシステムを使用した場合、図１７のグラフに示したように、調光率−相対輝度線Ｃ２に示すように調光５０％が１００％輝度になる。（従来方式では調光率−相対輝度線Ｃ１に示すように調光１００％で輝度１００％としていた。）したがって輝度２０％に設定するには、調光を１０％にする必要がある。動画対応でない、従来の液晶バックライトの調光には、調光率１００％のとき１００％輝度にするだけであったので容易に２０％程度まで調光が可能であった。しかし、水銀を使用した冷陰極放電ランプでは、図１７における領域Ｒｅ２内の１０％調光での安定点灯は難しく、チラツキが生じる問題点があった。
【０００５】
従来の放電ランプ点灯装置の回路図を図１８、図１９に示し、調光したときのランプ電圧を図２０に示してある。図１８、図１９に示す放電ランプ点灯装置は、１対のインバータ駆動信号（１）ＳＧ１と駆動信号（２）ＳＧ２を生成する制御回路３１を備えている。そして制御回路３１の駆動信号（１）ＳＧ１によってスイッチング素子Ｓ１をスイッチング動作させ、駆動信号（２）ＳＧ２によってスイッチング素子Ｓ２をスイッチング動作させ、これらのスイッチング素子Ｓ１，Ｓ２のスイッチング動作によってパルストランスＴを駆動して放電ランプＬＰを点灯させる。図１８、図１９において、Ｃはコンデンサである。
【０００６】
図１８は、駆動信号（１）ＳＧ１によりスイッチング素子Ｓ１がオンし、駆動信号（２）ＳＧ２によりスイッチング素子Ｓ２がオフすることで、負の管電流ＣＬ１を作成する状態を示している。図１９は、駆動信号ＳＧ１によりスイッチング素子Ｓ１がオフし、駆動信号ＳＧ２によりスイッチング素子Ｓ２がオンすることで、正の管電流ＣＬ２を作成する状態を示している。すなわち、駆動信号ＳＧ１，ＳＧ２のオン期間でランプ駆動用トランスＴの１次巻線電圧が「Ｌ→Ｈ→Ｌ→Ｈ→Ｌ…」を繰り返すことで、トランスＴの２次巻線に接続された冷陰極放電ランプＬＰに正負の管電流ＣＬ１，ＣＬ２を供給する。これらを繰り返すことで、冷陰極放電ランプＬＰに高周波交流電圧を継続的に印加し、ランプＬＰを点灯させるのである。このような従来の放電ランプ点灯装置では、図２０のランプ電圧波形から分かるように、ランプ電圧立ち下がり時に共振ＲＳが発生し、この共振が原因で、放電ランプ点灯の際にチラツキが発生していたのである。
【特許文献１】特開２００２−３１３５９５号公報
【発明の開示】
【発明が解決しようとする課題】
【０００７】
本発明は、このような従来の技術的課題に鑑みてなされたもので、インバータに使用するトランスがトランス１次巻線に並列接続された第３のスイッチング素子をオンすることで調光時に発生するトランスの共振を低減し、調光１９％〜５％でも安定点灯が可能な放電ランプ点灯装置を提供することを目的とする。
【課題を解決するための手段】
【０００８】
請求項１の発明のブリンクバックライトシステムにおける放電ランプ点灯装置は、パルストランスの２次巻線側に冷陰極放電ランプを接続し、前記パルストランスの１次巻線側にタップを設け、前記タップを通じて電力が供給される前記１次巻線の両端それぞれとグランドとの間に第１のスイッチング素子、第２のスイッチング素子それぞれを設け、前記タップを有した１次巻線の両端に、抵抗成分を持つ素子と第３のスイッチング素子とが直列に接続されたチラツキ防止回路を並列に接続したものである。
【０００９】
請求項２の発明のブリンクバックライトシステムにおける放電ランプ点灯装置は、パルストランスの２次巻線側に冷陰極放電ランプを接続し、前記パルストランスの１次巻線側にタップを設け、前記タップを通じて電力が供給される前記１次巻線の両端それぞれとグランドとの間に第１のスイッチング素子、第２のスイッチング素子それぞれを設け、前記１次巻線のタップと前記第１又は第２のスイッチング素子が接続された当該１次巻線の端部とに、抵抗成分を持つ素子と第３のスイッチング素子とが直列に接続されたチラツキ防止回路を並列に接続したものである。
【００１０】
請求項３の発明のブリンクバックライトシステムにおける放電ランプ点灯装置は、パルストランスの２次巻線側に冷陰極放電ランプを接続し、前記パルストランスの１次巻線側にタップを設け、前記タップを通じて電力が供給される前記１次巻線の両端それぞれとグランドとの間に第１のスイッチング素子、第２のスイッチング素子それぞれを設け、前記パルストランスの１次側に第３の巻線を設け、当該第３の巻線の片側をグランドに接続し、当該第３の巻線の他側とグランドとの間に、抵抗成分を持った素子と第３のスイッチング素子とが直列に接続されたチラツキ防止回路を並列に接続したものである。
【００１１】
請求項４の発明のブリンクバックライトシステムにおける放電ランプ点灯装置は、パルストランスの２次巻線側に冷陰極放電ランプを接続し、前記パルストランスの１次巻線側にタップを設け、前記タップを通じて電力が供給される前記１次巻線の両端それぞれとグランドとの間に第１のスイッチング素子、第２のスイッチング素子それぞれを設け、前記パルストランスの１次側に第３の巻線を設け、当該第３の巻線の片側をグランドに接続し、当該第３の巻線の他側とグランドとの間に、第３のスイッチング素子をチラツキ防止回路として接続したものである。
【００１２】
請求項５の発明は、請求項１〜４のブリンクバックライトシステムにおける放電ランプ点灯装置において、前記第１のスイッチング素子と第２のスイッチング素子を交互にオン／オフ動作させ、低調光時に前記第３のスイッチング素子をオンさせることを特徴とするものである。
【００１３】
請求項６の発明は、請求項１〜５のブリンクバックライトシステムにおける放電ランプ点灯装置において、前記第３のスイッチング素子としてＭＯＳＦＥＴ、トランジスタ又はフォトカプラを使用し、前記抵抗成分を持った素子として抵抗を使用したことを特徴とするものである。
【００１４】
請求項７の発明は、請求項３又は４のブリンクバックライトシステムにおける放電ランプ点灯装置において、前記第３の巻線の巻数は、１０ターン以下としたことを特徴とするものである。
【発明の効果】
【００１５】
本発明によれば、インバータに使用するトランスがトランス１次巻線に並列接続された第３のスイッチング素子をオンすることで調光時に発生するトランスの共振を低減し、調光１９％〜５％でも安定点灯が可能である。
【発明を実施するための最良の形態】
【００１６】
以下、本発明の実施の形態を図に基づいて詳説する。図１、図２に本発明の第１の実施の形態の放電ランプ点灯装置の回路図を示す。本実施の形態の放電ランプ点灯装置は、パルストランスＴの２次巻線Ｌ３側に冷陰極放電ランプＬＰを接続し、１次巻線側はタップを有し、このタップを通じて電力を供給するようにしている。このタップによって１次巻線をＬ１，Ｌ２の半分ずつに分けている。パルストランスＴの１次巻線の両端それぞれとグランドとの間には、第１のスイッチＳ１、第２のスイッチＳ２それぞれを接続してある。さらに、パルストランスＴの１次巻線の両端に、抵抗成分を持つ素子Ｒ１と第３のスイッチＳ３が直列に接続されたチラツキ防止回路１を並列に接続してある。この第３のスイッチＳ３には、図３に示すようなフォトＭＯＳＦＥＴ、図４に示すようなＭＯＳＦＥＴ、あるいはバイポーラトランジスタ、フォトカプラを採用することができる。
【００１７】
パルストランスＴは、第１のスイッチＳ１、第２のスイッチＳ２を交互にオン／オフする駆動信号（１）ＳＧ１、駆動信号（２）ＳＧ２を出力する制御回路３２にて駆動し、冷陰極放電ランプＬＰに供給する電力を制御する。制御回路３２はＰＷＭ制御によって第１のスイッチＳ１を駆動信号（１）ＳＧ１、第２のスイッチＳ２を駆動信号（２）ＳＧ２によって交互にオン／オフさせ、また第３のスイッチＳ３を駆動信号（３）ＳＧ３にてスイッチングさせる。
【００１８】
図１は第３のスイッチＳ３をオフ状態に保持し、調光５０％〜２０％で動作する状態を示し、図２は第３のスイッチＳ３をオン状態に保持し、調光１９％〜５％で動作する状態を示している。それぞれの動作状態でのタイミングチャートは図５、図６に示してある。
【００１９】
調光５０％〜２０％では、図１に示すように、制御回路３２が駆動信号（３）ＳＧ３にて第３のスイッチＳ３をオフに保持した状態で、第１のスイッチＳ１を駆動信号（１）ＳＧ１、第２のスイッチＳ２を駆動信号（２）ＳＧ２によって交互にオン／オフさせると、図５のタイミングチャートにおける期間Ｍ１のように、第１のスイッチＳ１がオン、第２のスイッチＳ２がオフしているときは、電源に接続されたタップを介して、１次巻線の半分Ｌ１と第１のスイッチＳ１に電流が流れる。このとき、第２のスイッチＳ２はオフしているため動作しない。逆に、期間Ｍ２のように、第２のスイッチＳ２がオン、第１のスイッチＳｌがオフしているときは、電源に接続されたタップを介して１次巻線の半分Ｌ２と第２のスイッチＳ２に電流が流れる。このとき、第１のスイッチＳ１はオフしているため、動作しない。第３のスイッチＳ３は、オフしているので抵抗Ｒ１には電流が流れない。この状態を繰り返すことでトランスＴより出力された電圧がランプＬＰに供給され、ランプＬＰが点灯する。
【００２０】
調光１９％〜５％では、図２に示すように、制御回路３２が駆動信号（３）ＳＧ３にて第３のスイッチＳ３をオンに保持した状態で、第１のスイッチＳ１を駆動信号（１）ＳＧ１、第２のスイッチＳ２を駆動信号（２）ＳＧ２によって交互にオン／オフさせる。このとき、図６のタイミングチャートにおける期間Ｍ１のように、第１のスイッチＳ１がオン、第２のスイッチＳ２がオフしているときは、電源に接続されたタップを介してトランスＴの１次巻線の半分Ｌｌ、第１のスイッチＳ１に電流が流れ、さらに第３のスイッチＳ３がオンしているため、１次巻線の半分Ｌ１、抵抗素子Ｒ１、第３のスイッチＳ３、１次巻線の残り半分Ｌ２にも電流が流れる。逆に、期間Ｍ２のように、第２のスイッチＳ２がオン、第１のスイッチＳ１がオフしているときは、電源に接続されたタップを介して１次巻線の半分Ｌ２、第２のスイッチＳ２に電流が流れ、さらに第３のスイッチＳ３がオンしているため、１次巻線の半分Ｌ２、第３のスイッチＳ３、抵抗素子Ｒ１、１次巻線の残り半分Ｌ１に電流が流れる。このときのランプ電圧波形は、第３のスイッチＳ３がオンしているため、第１のスイッチＳ１、第２のスイッチＳ２が交互に動作し終えたあとは共振を起こさない。図７は、このときのランプ電圧波形を示している。この図７の電圧波形を図２０の電圧波形より、ランプ電圧立ち下がり時に、共振が低減しているのがわかる。
【００２１】
従来回路による動作は、図１に示すように第３のスイッチＳ３がオンしない動作と同等であり、トランスＴの１次巻線（Ｌ１，Ｌ２）とコンデンサＣにより構成されたＬＣ共振回路が構成され、ｆ＝１／２π√（ＬＣ）の式に与えられる共振周波数ｆで共振し、第１のスイッチＳ１、第２のスイッチＳ２がオフした後も共振し続ける。そのためランプ電圧立ち上がり立ち下がり時の共振がチラツキに影響を与えていた。
【００２２】
しかしながら、本実施の形態の放電ランプ点灯装置では、例えば調光２０％未満のとき、第３のスイッチＳ３をオンすることで、抵抗素子Ｒ１はＬＣ共振回路に対してその共振を減衰させるようにダンピング抵抗として作用する。これによってＬＣ共振回路により発生されるリンキングが防止でき、この結果、ランプ電圧、ランプ電流におけるリンキングも防止できチラツキを抑制できる。したがって、本実施の形態によれば、図８のグラフに示すように、従来から安定点灯が可能であった領域Ｒｅ１のみならず、従来回路では不安定点灯となっていた領域Ｒｅ２でもチラツキのない安定した点灯ができる。
【００２３】
なお、このときの抵抗素子Ｒ１の抵抗値は、１Ωから１００Ω程度である。この抵抗素子Ｒ１の抵抗値が１００Ω以上だと、抵抗素子Ｒ１に電流が流れにくくなり、動作しない状態と同じになる。さらに抵抗値が低すぎると抵抗素子Ｒ１での損失が大きくなるので、調光が低いときにのみ、第３のスイッチＳ３をオンさせるようにする。また、第３のスイッチＳ３をオンして調光時に共振を防止する設定条件は、上記の例だけではなくてもよく、１９％〜５％程度の範囲内で設定を行うことができる。
【００２４】
このようにして本実施の形態の放電ランプ点灯装置では、低輝度時（低調光時）にもチラツキのない安定した点灯が可能である。
【００２５】
次に、本発明の第２の実施の形態の放電ランプ点灯装置について、図９、図１０を用いて説明する。図９、図１０に本発明の第２の実施の形態の放電ランプ点灯装置の回路図を示す。本実施の形態の放電ランプ点灯装置は、パルストランスＴの２次巻線Ｌ３側に冷陰極放電ランプＬＰを接続し、１次巻線側はタップを有し、このタップを通じて電力を供給するようにしている。このタップによって１次巻線をＬ１，Ｌ２の半分ずつに分けている。パルストランスＴの１次巻線の両端それぞれとグランドとの間には、第１のスイッチＳ１、第２のスイッチＳ２を接続してある。さらに、パルストランスＴの１次巻線のタップと第１又は第２のスイッチとが接続されたいずれか半分の巻線（ここでは、Ｌ２）に並列に、抵抗成分を持つ素子Ｒ１と第３のスイッチＳ３とが接続されたチラツキ防止回路１が設けてある。
【００２６】
次に、上記構成の第２の実施の形態の放電ランプ点灯装置の動作について説明する。図９は、調光５０％〜２０％で動作する場合の回路を示し、第３のスイッチＳ３をオフさせている。この場合の第１のスイッチＳ１、第２のスイッチＳ２の動作タイミングは第１の実施の形態の場合と同様であり、図５のタイミングチャートに示したものとなる。図１０は、調光１９％〜５％で動作する場合の回路を示し、第３のスイッチＳ３はオンさせている。この場合の第１のスイッチＳ１、第２のスイッチＳ２の動作タイミングは図２に示した第１の実施の形態の場合と同様であり、図６のタイミングチャートに示したものと共通する。
【００２７】
本実施の形態の放電ランプ点灯装置では、抵抗素子Ｒ１をトランスＴのタップと片側の巻線Ｌ２の端点との間に巻線Ｌ２と並列に接続したことで、図７に示した波形図とほぼ同様な結果が得られ、ランプ電圧、ランプ電流におけるリンキングも防止できチラツキを抑制できる。
【００２８】
次に、本発明の第３の実施の形態の放電ランプ点灯装置について、図１１、図１２を用いて説明する。図１１、図１２に本発明の第３の実施の形態の放電ランプ点灯装置の回路図を示す。本実施の形態の放電ランプ点灯装置は、パルストランスＴの２次巻線Ｌ３側に冷陰極放電ランプＬＰを接続し、１次巻線側はタップを有し、このタップを通じて電力を供給するようにしている。このタップによって１次巻線をＬ１，Ｌ２の半分ずつに分けている。パルストランスＴの１次巻線の両端それぞれとグランドとの間に、第１のスイッチＳ１、第２のスイッチＳ２それぞれを接続し、さらに１次側に第３の巻線Ｌ６を設けてある。第３の巻線Ｌ６の巻数は１０ターン以下とし、この第３の巻線Ｌ６の片側をグランドに接続し、もう片側とグランドとの間に、抵抗成分を持った素子Ｒ１と第３のスイッチＳ３が直列に接続されたチラツキ防止回路１を並列に接続している。
【００２９】
次に、上記第３の実施の形態の放電ランプ点灯装置の動作について説明する。図１１は、調光５０％〜２０％で動作する場合の回路を示し、第３のスイッチＳ３をオフさせている。第１のスイッチＳ１、第２のスイッチＳ２の動作タイミングは第１の実施の形態と同様で、図５のタイミングチャートと同様である。
【００３０】
図１２は、調光１９％〜５％で動作する場合の回路を示してある。トランスＴの１次側に第３の巻線Ｌ６を作り、その片側をグランドへ接続し、もう片側を抵抗素子Ｒ１を介して第３のスイッチＳ３に接続してある。このときトランスＴに巻かれた第３の巻線Ｌ６は電圧を得、それを第３のスイッチＳ３でオンすることで、第１の実施の形態と同様、図７に示した波形図とほぼ同様な結果が得られ、ランプ電圧、ランプ電流におけるリンキングも防止できチラツキを抑制できる。
【００３１】
なお、このとき使用する抵抗素子Ｒ１は、１００Ω以下とし、第３の巻線Ｌ６の巻数は、１０ターン以下とする。抵抗値が１００Ω以上、巻数が１０ターンを越えると放電ランプＬＰを直接駆動する２次巻線Ｌ３に与える電圧の影響が大きくなり、安定点灯が難しくなる。その結果、ランプＬＰは均一に発光せず、不均一に発光することになってしまう。
【００３２】
次に、本発明の第４の実施の形態の放電ランプ点灯装置について、図１３、図１４を用いて説明する。図１３、図１４に本発明の第４の実施の形態の放電ランプ点灯装置の回路図を示す。本実施の形態の放電ランプ点灯装置は、パルストランスＴの２次巻線Ｌ３側に冷陰極放電ランプＬＰを接続し、１次巻線側はタップを有し、このタップを通じて電力を供給するようにしている。このタップによって１次巻線をＬ１，Ｌ２の半分ずつに分けている。タップを通じて電力を供給するトランスＴの１次巻線の両端それぞれとグランドとの間には、第１のスイッチＳ１、第２のスイッチＳ２それぞれを接続し、さらにトランスＴの１次側に第３の巻線Ｌ６を設けてある。この第３の巻線Ｌ６の巻数は１０ターン以下とし、この第３の巻線Ｌ６の片側をグランドに接続し、もう片側に第３のスイッチＳ３が接続され、チラツキ防止回路１を構成している。
【００３３】
次に、上記構成の第４の実施の形態の放電ランプ点灯装置の動作について説明する。図１３は、調光５０％〜２０％で動作する場合の回路を示し、第３のスイッチＳ３をオフさせている。第１のスイッチＳ１、第２のスイッチＳ２の動作タイミングは第１の実施の形態と同様で、図５のタイミングチャートと同様である。
【００３４】
図１４は、調光１９％〜５％で動作する場合の回路を示してある。トランスＴの１次側に第３の巻線Ｌ６を作り、その片側をグランドへ接続し、もう片側を直接に第３のスイッチＳ３に接続してある。このときトランスＴに巻かれた第３の巻線Ｌ６は電圧を得、それを第３のスイッチＳ３でオンすることで、第１の実施の形態と同様、図７に示した波形図とほぼ同様な結果が得られ、ランプ電圧、ランプ電流におけるリンキングも防止できチラツキを抑制できる。
【００３５】
以上のように、本発明の実施の形態では、冷陰極放電ランプＬＰを調光点灯するとき、調光したランプ電圧立ち上がり立ち下がり時にトランスの共振を起こさないようにすることでランプ電圧の振動が抑制でき、調光率１０％のときでもチラツキのない安定した点灯が可能である。
【図面の簡単な説明】
【００３６】
【図１】本発明の第１の実施の形態の放電ランプ点灯装置の５０％〜２０％調光動作時の回路図。
【図２】本発明の第１の実施の形態の放電ランプ点灯装置の１９％〜５％調光動作時の回路図。
【図３】上記実施の形態において第３のスイッチとして使用するフォトＭＯＳＦＥＴの回路図。
【図４】上記実施の形態において第３のスイッチとして使用するＭＯＳＦＥＴの回路図。
【図５】上記実施の形態による５０％〜２０％調光動作時の駆動信号とスイッチ動作とを示すタイミングチャート。
【図６】上記実施の形態による１９％〜５％調光動作時の駆動信号とスイッチ動作とを示すタイミングチャート。
【図７】上記実施の形態による１９％〜５％調光動作時のランプ電圧の波形図。
【図８】上記実施の形態の動作特性を示すグラフ。
【図９】本発明の第２の実施の形態の放電ランプ点灯装置の５０％〜２０％調光動作時の回路図。
【図１０】本発明の第２の実施の形態の放電ランプ点灯装置の１９％〜５％調光動作時の回路図。
【図１１】本発明の第３の実施の形態の放電ランプ点灯装置の５０％〜２０％調光動作時の回路図。
【図１２】本発明の第３の実施の形態の放電ランプ点灯装置の１９％〜５％調光動作時の回路図。
【図１３】本発明の第４の実施の形態の放電ランプ点灯装置の５０％〜２０％調光動作時の回路図。
【図１４】本発明の第４の実施の形態の放電ランプ点灯装置の１９％〜５％調光動作時の回路図。
【図１５】一般的なブリンクバックライトシステムのブロック図。
【図１６】従来の放電ランプ点灯装置による５０％調光時の各部の波形図。
【図１７】従来の放電ランプ点灯装置の動作特性図。
【図１８】従来の放電ランプ点灯装置の回路図（１）。
【図１９】従来の放電ランプ点灯装置の回路図（２）。
【図２０】従来の放電ランプ点灯装置による１９％〜５％調光動作時のランプ電圧の波形図。
【符号の説明】
【００３７】
１  チラツキ防止回路
３２  制御回路
ＳＧ１  駆動信号（１）
ＳＧ２  駆動信号（２）
ＳＧ３  駆動信号（３）
Ｓ１  第１のスイッチ
Ｓ２  第２のスイッチ
Ｓ３  第３のスイッチ
Ｔ  トランス
Ｌ１，Ｌ２  １次巻線の半分
Ｌ３  ２次巻線
Ｌ６  第３の巻線
ＬＰ  放電ランプ
Ｒ１  抵抗素子
【図１】
2006073476.tif 000003
【図２】
2006073476.tif 000004
【図３】
2006073476.tif 000005
【図４】
2006073476.tif 000006
【図５】
2006073476.tif 000007
【図６】
2006073476.tif 000008
【図７】
2006073476.tif 000009
【図８】
2006073476.tif 000010
【図９】
2006073476.tif 000011
【図１０】
2006073476.tif 000012
【図１１】
2006073476.tif 000013
【図１２】
2006073476.tif 000014
【図１３】
2006073476.tif 000015
【図１４】
2006073476.tif 000016
【図１５】
2006073476.tif 000017
【図１６】
2006073476.tif 000018
【図１７】
2006073476.tif 000019
【図１８】
2006073476.tif 000020
【図１９】
2006073476.tif 000021
【図２０】
2006073476.tif 000022